(57)【要約】【課題】必要とする寸法に可及的に正確に裁断でき、また、可及的に一直線上に裁断することができるはさみを提供する。【解決手段】二本の刃１１、１３の一端１１ｂ、１３ｂ側の部分同士の間に被裁断物を配置した場合に二本の刃１１、１３をそれぞれ軸１５を中心に回動させることによって前記被裁断物を裁断するはさみにおいて、二本の刃１１、１３は、互いに対向する面１１ａ、１３ａを具え、各一端１１ｂ、１３ｂ側の部分の面１１ａ、１３ａに形成された定規２２、２１と、刃１１、１３の各他端１１ｃ、１３ｃ側の部分に配設された係合溝２３、２６と、該係合溝のうちいずれか一方の係合溝に差込可能に係合する係合部３０ｃを具え、該係合した場合に一端１１ｂ、１３ｂ側に前記被裁断物があることを検知すると、該一端よりさらに離間した位置まで照明光を直線状に照射するセンサライト３０とを具えている。【選択図】図１
0003111474.tif 000002
【実用新案登録請求の範囲】
【請求項１】
二本の刃と、該二本の刃の各略中央を支承して該二本の刃をそれぞれ回動自在にする軸と、前記二本の刃の一端側の部分同士の間に被裁断物を配置した場合に、前記二本の刃をそれぞれ前記軸を中心に回動させることによって前記被裁断物を裁断するようにしたはさみにおいて、
前記二本の刃は、互いに対向する面を具えており、
前記各一端側の部分の前記面にそれぞれ形成された定規と、
前記二本の刃の各他端側の部分にそれぞれ配設された係合溝と、
該係合溝のうちいずれか一方の係合溝に、差込可能に係合する係合部を具えた一つのセンサライトであって、前記係合部が前記一方の係合溝に係合した場合に、前記一端側に前記被裁断物があることを検知すると、前記一端よりさらに離間した位置まで照明光を直線状に照射するセンサライト
とを具えるようにしたことを特徴とするはさみ。
【請求項２】
前記二本の刃の前記他端にそれぞれ配設される柄を具え、
該各柄に、前記係合溝がそれぞれ形成されるようにしたことを特徴とする請求項（１）記載のはさみ。
【考案の詳細な説明】
【技術分野】
【０００１】
本考案は、はさみに関する。
【背景技術】
【０００２】
従来から、紙や布等（以下、「被裁断物」という。）を切る道具として、はさみが存在する。
【０００３】
図１０は、従来のはさみの概念正面図であって、特に該はさみの二本の刃の各一端及び各他端をそれぞれ互いに離間させた様子を示す図である。
【０００４】
この図１０で示すように、この従来のはさみ５０は、二本の刃１１、１３と、該二本の刃１１、１３の各略中央をいずれも支承して該二本の刃１１、１３をそれぞれ回動自在にする軸１５とを具えている。
【０００５】
また、二本の刃１１、１３は、互いに対向する面１１ａ、１３ａをそれぞれ有している。  
また、この面１１ａ、１３ａは、それぞれ二本の刃１１、１３の各一端１１ｂ、１３ｂから各他端１１ｃ、１３ｃまで延設されている。
【０００６】
また、一方の刃１１のうち軸１５に対し一端１１ｂが配設された側の部分（以下、単に「一端側の部分」という。）であって、その外面（面１１ａと反対側の面）には、小刃１２が配設されている。  
また、他方の刃１３のうち軸１５に対し一端１３ｂが配設された側の部分（以下、「一端側の部分」という。）には、その外面（面１３ａと反対側の面）に、図示せぬ小刃が配設されている。
【０００７】
また、一方の刃１１の他端１１ｃには柄１８が配設され、他方の刃１３の他端１３ｃには柄１９が配設されている。  
なお、柄１８、１９には、はさみ５０を利用する利用者が指を掛ける孔１８ａ、１９ａがそれぞれ形成されている。
【０００８】
この従来のはさみ５０は、軸１５を支点、他端１１ｃ、１３ｃにある二本の柄１８、１９の一部分をそれぞれ力点、二本の刃１１、１３の各一端１１ｂ、１３ｂ側の一部分を作用点とし、前記被裁断物を裁断するはさみである。
【０００９】
すなわち、従来のはさみ５０では、二本の刃１１、１３の一端１１ｂ、１３ｂ側の部分同士の間に前記被裁断物を配置した場合に、二本の刃１１、１３を、それぞれ軸１５を中心に回動させると、前記被裁断物を二本の刃１１、１３の一端１１ｂ、１３ｂ側の部分によって裁断することができる。ただし、このときの回動方向は二本の刃１１、１３の各一端１１ｂ、１３ｂが互いに近づく方向である。  
【考案の開示】
【考案が解決しようとする課題】
【００１０】
ところで、この従来のはさみ５０では、何ら寸法を計測する手段を具えていないので、前記被裁断物を裁断する場合に、必要とする寸法（原寸）に正確に裁断することができないという問題があった。
【００１１】
また、従来のはさみ５０では、何ら一直線上に裁断させるための手段を具えていないので、裁ち目（はさみ５０の刃１１、１３の一端１１ｂ、１３ｂ側の部分が進む方向）がみえにくく、そのため前記被裁断物を、一直線上に裁断したいにもかかわらず、曲がって裁断してしまうことがあるという問題があった。
【００１２】
上述した事情に鑑み、本考案は、必要とする寸法に可及的に正確に裁断でき、また可及的に一直線上に裁断することができるはさみを提供することを目的とする。
【課題を解決するための手段】
【００１３】
上述した課題を解決するため、本考案のはさみは、二本の刃と、該二本の刃の各略中央を支承して該二本の刃をそれぞれ回動自在にする軸と、前記二本の刃の一端側の部分同士の間に被裁断物を配置した場合に、前記二本の刃をそれぞれ前記軸を中心に回動させることによって前記被裁断物を裁断するようにしたはさみにおいて、二本の刃は、互いに対向する面を具えており、前記各一端側の部分の前記面にそれぞれ形成された定規と、前記二本の刃の各他端側の部分にそれぞれ配設された係合溝と、該係合溝のうちいずれか一方の係合溝に、差込可能に係合する係合部を具えた一つのセンサライトであって、前記係合部が前記一方の係合溝に係合した場合に、前記一端側に前記被裁断物があることを検知すると、前記一端よりさらに離間した位置まで照明光を直線状に照射するセンサライトとを具えるようにしている。
【考案の効果】
【００１４】
本考案のはさみは、二本の刃の一端側の部分同士の間に被裁断物を配置した場合に、二本の刃をそれぞれ軸を中心に回動させることによって前記被裁断物を裁断するようにしたはさみにおいて、前記二本の刃は、互いに対向する面を具えており、前記各一端側の部分の前記面にそれぞれ形成された定規と、前記二本の刃の各他端側の部分にそれぞれ配設された係合溝と、該係合溝のうちいずれか一方の係合溝に、差込可能に係合する係合部を具えた一つのセンサライトであって、前記係合部が前記一方の係合溝に係合した場合に、前記一端側に前記被裁断物があることを検知すると、前記一端よりさらに離間した位置まで照明光を直線状に照射するセンサライトとを具えているから、必要とする寸法に可及的に正確に裁断でき、また前記被裁断物を可及的に一直線上に裁断することができる。また、センサライトはいずれか一方の係合溝を選択して該選択した係合溝に係合させることができる。またこのはさみは、利用者が右利きであっても左利きであっても用いることができる。  
【考案を実施するための最良の形態】
【００１５】
本考案のはさみについて、以下の実施例で詳述する。
【００１６】
図１は、本考案の実施例のはさみの概念正面図であって、特に該はさみの二本の刃の各一端及び各他端をそれぞれ互いに離間させた様子を示す図である。また、図２は、図１のはさみの概念背面図である。  
なお、図１、図２乃至後述する図９では、図１０と同一部分を同一符号で示しており、以下、本願考案のはさみが従来のはさみと同一構造である部分については、その説明を一部省略する。
【００１７】
図１及び図２で示すように、本考案の実施例のはさみ１では、二本の刃１１、１３は、従来のはさみ５０と同様に、互いに対向する面１１ａ、１３ａを具えている。また、この面１１ａ、１３ａはそれぞれ、各一端１１ｂ、１３ｂから各他端１１ｃ、１３ｃまで延設されている。
【００１８】
また、このはさみ１は、定規２１と、定規２２（図２）と、係合溝２３、２６と、一つのセンサライト３０とを具えている。
【００１９】
このうち、定規２２、２１は、二本の刃１１、１３の各一端１１ｂ、１３ｂ側の部分の互いの対向する各面１１ａ、１３ａにそれぞれ形成されている。  
また、この定規２２、２１は、各一端１１ｂ、１３ｂ側の部分の互いに対向する面１１ａ、１３ａに、それぞれ焼き付け等によって設置されている。
【００２０】
また、図１で示すように、各係合溝２３、２６は、刃１１、１３の軸１５に対し各他端１１ｃ、１３ｃ側に配設された部分（以下、単に「他端側に配設された部分」という。）にそれぞれ配設されている。この各係合溝２３、２６は、それぞれ柄１８、１９にそれぞれ形成されている。また、この柄１８、１９は、刃１１、１３の各他端１１ｃ、１３ｃにそれぞれ配設されている。
【００２１】
またセンサライト３０は、該係合溝２３、２６のうちいずれか一方の係合溝に、差込可能に係合するものであり、図１、図２、後述する図３及び図４では、いずれもセンサライト３０を係合溝２３に係合させた様子を示している。
【００２２】
また、センサライト３０は、図１で示すように、光を照射するライト３０ａと、手動によりライト３０ａの照明を手動により点灯または消灯させるスイッチ３０ｂとを具えている。  
また、図１のＡＡ概念拡大断面図である図３で示すように、センサライト３０には、係合溝２３、２６のいずれか一方（図３では係合溝２３）に係合する係合部３０ｃが形成されている。なお、この係合部３０ｃは凹部からなる。なお、この図３及び後述する図６では、センサライト３０の詳細な部分の図示を省略している。
【００２３】
このような構造のはさみ１では、従来のはさみ５０と同様に、図１及び図２に示す状態において二本の刃１１、１３の一端１１ｂ、１３ｂ側の部分同士の間に前記被裁断物を配置した場合に、図４で示すように二本の刃１１、１３を軸１５を中心に回動させると、前記被裁断物を裁断することができる。  
ただし、このときの回動方向は、二本の刃１１、１３の各一端１１ｂ、１３ｂが互いに近づく方向である。  
なお、上記図４は、本考案の実施例のはさみの概念正面図であって、特に図１及び図２のはさみを初期状態に復帰させた様子を示す図である。なお、この初期状態では、二本の柄１８、１９が互いに当接するとともに、一端１１ｂ、１３ｂが互いに当接する。
【００２４】
また、このはさみ１では、一方の係合溝２３に係合した一つのセンサライト３０が、二本の刃１１、１３のうち、軸１５に対し一端１１ｂ、１３ｂ側に前記被裁断物があることを検知すると、そのライト３０ａから照明光を、一端１１ｂ、１３ｂよりさらに離間した位置まで裁ち目（はさみ1の刃１１、１３の一端１１ｂ、１３ｂ側の部分が進む方向）に沿って直線状に照射する。  
この直線状の照射は、一端１１ｂ、１３ｂから、さらに０〜５センチメートル離間した位置まで行われる。  
したがって、センサライト３０によって裁ち目を明るくして見やすくできるので、従来に比し可及的に一直線上に裁断することができる。
【００２５】
また、このはさみ１では、刃１１、１３の各一端１１ｂ、１３ｂ側の部分の面１１ａ、１３ａにそれぞれ定規２２、２１が形成されているから、前記被裁断物を裁断する場合に寸法を定規で測るとともに裁断することができる。  
すなわち、定規２２又は２１のある目盛を始点として裁断を開始し、必要な寸法の目盛を終点として裁断することにより、必要な寸法に可及的に正確に裁断することができる。  
したがって、このはさみ１では、従来に比し可及的に正確に、必要とする寸法（原寸）に裁断することができる。
【００２６】
また、このはさみ１では、図５及び図６で示すように、係合溝２３（図１乃至図４）から、センサライト３０を離脱することができる。  
なお、図５は、本考案の実施例のはさみを示す概念正面図であって、特に図１乃至図４のはさみの一方の係合溝からセンサライトを離脱した様子を示す図である。また、図６は、本考案の実施例のはさみの動作を示す図であって、特に、図６（ａ）は、離脱した図５のセンサライトを示す概念断面図であり、図６（ｂ）は、離脱した図５の一方の係合溝の様子を示す図である。
【００２７】
また、図５及び図６の離脱したセンサライト３０を係合溝２３に装着する場合には、係合溝２３に沿ってセンサライト３０を差込み、これによりセンサライト３０と係合溝２３とを係合させる。  
なおこの係合は、具体的には、センサライト３０を、係合溝２３の溝２３ａに沿って係合部３０ｃを介して差し込むことによって行われ、また差し込まれたセンサライト３０は係合溝２３の溝２３ｂに当接することによって停止する。  
なお、センサライト３０を係合溝２３から離脱する手順は上記装着（係合）手順の逆の手順をおこなえばよい。
【００２８】
図７は、本考案の実施例のはさみの概念背面図であり、離脱した図５のセンサライトを他方の係合溝に装着する様子を示す図である。  
図７で示すように、このはさみ１では、離脱したセンサライト３０を、他方の係合溝２６に装着することができる。  
なお、センサライト３０を他方の係合溝２６に係合させる手順は、上記した一方の係合溝に係合させる手順と同様である。  
なおこの係合は、具体的には、センサライト３０を、係合溝２６の溝２６ａに沿って係合部３０ｃを介して差し込むことによって行われ、また差し込まれたセンサライト３０は係合溝２６の溝２６ｂに当接することによって停止する。  
なお、センサライト３０を係合溝２６から離脱する手順は上記装着（係合）手順の逆の手順をおこなえばよい。
【００２９】
図８は、本考案の実施例のはさみの概念背面図であり、離脱した図５のセンサライトを他方の係合溝に装着したはさみの初期状態を示す図である。なお、この初期状態においては、二本の柄１８、１９は互いに当接し、また一端１１ｂ、１３ｂは互いに当接する。  
図８で示すように、センサライト３０を他方の溝２６に装着したはさみ１では、従来のはさみ５０と同様に、図９で示すように二本の刃１１、１３の一端１１ｂ、１３ｂ側の部分同士の間に前記被裁断物を配置した場合に、二本の刃１１、１３を軸１５を中心に回動させると、前記被裁断物を裁断することができる。  
ただし、このときの回動方向は二本の刃１１、１３の各一端１１ｂ、１３ｂが互いに近づく方向である。  
なお前記図９は、本考案の実施例のはさみの概念背面図であって、特に図８のはさみの二本の刃の各一端及び各他端をそれぞれ互いに離間させた様子を示す図である。
【００３０】
また、このはさみ１では、他方の係合溝２６に差込可能に係合した一つのセンサライト３０が、二本の刃１１、１３のうち軸１５に対し一端１１ｂ、１３ｂ側に前記被裁断物があることを検知すると、そのライト３０ａから照明光を一端１１ｂ、１３ｂよりさらに離間した位置まで裁ち目（はさみ１の刃１１、１３の一端１１ｂ、１３ｂ側の部分が進む方向）に沿って直線状に照射する。  
この直線状の照射は、一端１１ｂ、１３ｂから０〜５センチメートル離間した位置まで行われる。  
したがって、センサライト３０によって裁ち目を明るくして見やすくできるので、従来に比し可及的に一直線上に裁断することができる。
【００３１】
また、このはさみ１では、刃１１、１３の各一端１１ｂ、１３ｂ側の部分の面１１ａ、１３ａにそれぞれ定規２２、２１が配設されているから、被裁断物を裁断する場合に、寸法を定規２２、２１で測るとともに裁断することができる。  
すなわち、定規２２又は２１のある目盛を始点として裁断を開始し、必要な寸法の目盛を終点として裁断することにより、必要な寸法に可及的に正確に裁断することができる。  
したがって、このはさみ１では、従来に比し可及的に正確に、必要とする寸法（原寸）に裁断することができる。
【００３２】
また、定規２２、２１は、刃１１、１３の各一端１１ｂ、１３ｂ側の部分の面１１ａ、１３ａのそれぞれに形成されているから、他端１１ｃ、１３ｃのいずれを鉛直上として用いたとしても、上述のように、従来に比し可及的に一直線上に裁断することができ、また従来に比し可及的に正確に、必要とする寸法（原寸）に裁断することができる。このことは、センサライト３０を係合溝２３に係合した場合（図１）、センサライト３０を係合溝２６に係合した場合（図９）のいずれの場合についてもいえることである。
【００３３】
なお、この実施例のはさみ１は、センサライト３０を係合溝２３に係合した場合（図１）、センサライト３０を係合溝２６に係合した場合（図９）のいずれであっても、右利きの人がはさみ１を用いることができ、また左利きの人がはさみ１を用いることができる。
【００３４】
なお、センサライト３０は係合溝２３、２６のうちいずれか一方の係合溝に、差込可能に係合する係合部３０ｃを具えているから、いずれか一方の係合溝を選択して該選択した係合溝に係合させることができる。
【００３５】
なお、上記実施例では、本願考案のはさみの構造をより分かりやすく図示するために定規２１、２３とを別符号を用いて説明しているが、定規２１と２３の各目盛の寸法は同じであってもよいし、互いに異なる寸法を目盛にしたものであってもよい。
【００３６】
なお、上記実施例では、本願考案のはさみの構造をより分かりやすく図示するために係合溝２３、２６を別符号を用いて説明しているが、係合溝２３と係合溝２６はそれぞれセンサライト３０を差込可能にする形状のものであればよく、上記実施例のように同一形状の係合溝とすることもできる。
【００３７】
以上で説明したように、本考案のはさみ１は、二本の刃１１、１３と、該二本の刃１１、１３の各略中央を支承して該二本の刃１１、１３をそれぞれ回動自在にする軸１５と、二本の刃１１、１３の一端１１ｂ、１３ｂ側の部分同士の間に被裁断物を配置した場合に、二本の刃１１、１３をそれぞれ軸１５を中心に回動させることによって前記被裁断物を裁断するようにしたはさみにおいて、二本の刃１１、１３は、互いに対向する面１１ａ、１３ａを具えており、各一端１１ｂ、１３ｂ側の部分の面１１ａ、１３ａにそれぞれ形成された定規２２、２１と、二本の刃１１、１３の各他端１１ｃ、１３ｃ側の部分にそれぞれ配設された係合溝２３、２６と、該係合溝２３、２６のうちいずれか一方の係合溝に差込可能に係合する係合部３０ｃを具えた一つのセンサライト３０であって、前記係合部３０ｃが前記一方の係合溝に係合した場合に、前記一端１１ｂ、１３ｂ側に前記被裁断物があることを検知すると、一端１１ｂ、１３ｂよりさらに離間した位置まで照明光を直線状に照射するセンサライト３０とを具えるようにしたから、前記被裁断物を、定規２２、２１によって寸法を測るとともに裁断することができ、これにより必要とする寸法に可及的に正確に裁断でき、また、センサライト３０によって裁ち目（はさみ１の刃の一端１１ｂ、１３ｂ側の部分が進む方向）を明るくして見やすくし、これにより前記被裁断物を可及的に一直線上に裁断することができる。
【００３８】
したがって、この考案のはさみ１により、家庭や専門職での裁縫や、学校での図画工作や照明写真のサイズ合わせなど、幅広くはさみを活用できるようになり、熟年から若年を問わず活用される範囲が広がる。
【図面の簡単な説明】
【００３９】
【図１】図１は、本考案の実施例のはさみの概念正面図であって、特に該はさみの二本の刃の各一端及び各他端をそれぞれ互いに離間させた様子を示す図である。
【図２】図２は、図１のはさみの概念背面図である。
【図３】図３は、図１のＡＡ概念拡大断面図である。
【図４】図４は、本考案の実施例のはさみの概念正面図であって、特に図１及び図２のはさみを初期状態に復帰させた様子を示す図である。
【図５】図５は、本考案の実施例のはさみを示す概念正面図であって、特に図１乃至図４のはさみの一方の係合溝からセンサライトを離脱した様子を示す図である。
【図６】図６は、本考案の実施例のはさみの動作を示す図であって、特に、図６（ａ）は離脱した図５のセンサライトを示す概念断面図であり、図６（ｂ）は、離脱した図５の一方の係合溝の様子を示す図である。
【図７】図７は、本考案の実施例のはさみの概念背面図であり、離脱した図５のセンサライトを他方の係合溝に装着する様子を示す図である。
【図８】図８は、本考案の実施例のはさみの概念背面図であり、離脱した図５のセンサライトを他方の係合溝に装着したはさみの初期状態を示す図である。
【図９】図９は、本考案の実施例のはさみの概念背面図であって、特に図８のはさみの二本の刃の各一端及び各他端をそれぞれ互いに離間させた様子を示す図である。
【図１０】図１０は、従来のはさみの概念正面図であって、特に該はさみの二本の刃の各一端及び各他端をそれぞれ互いに離間させた様子を示す図である。
【符号の説明】
【００４０】
１…はさみ
１１、１３…二本の刃
１１ａ、１３ａ…面
１１ｂ、１３ｂ…二本の刃の各一端
１１ｃ、１３ｃ…二本の刃の各他端
１５…軸
１８、１９…二本の柄
２１、２２…定規
２３、２６…係合溝
３０…センサライト
３０ｃ…係合部
【図１】
0003111474.tif 000003
【図２】
0003111474.tif 000004
【図３】
0003111474.tif 000005
【図４】
0003111474.tif 000006
【図５】
0003111474.tif 000007
【図６】
0003111474.tif 000008
【図７】
0003111474.tif 000009
【図８】
0003111474.tif 000010
【図９】
0003111474.tif 000011
【図１０】
0003111474.tif 000012